(57)【特許請求の範囲】
【請求項１】
ルアー本体の内部に、水圧を測定するための圧力センサと、圧力センサの電源と、圧力センサによる計測データの信号を発信する発信モジュールを有する、位置情報測定ルアーを用いたルアー位置情報の測定方法であって、前記ルアーと、該ルアーが取り付けられるラインが巻かれたリールと、該リールが装着されたロッドと、ルアーの発信モジュールから送信される測定データの信号を受信する受信機と、受信機で取得した測定値信号を取り込んで解析・処理を行うコンピュータとを用いて、ルアーを水面にキャスティングしてリールをリトリーブすることにより、ルアーを水中に潜行させて、該ルアーの圧力センサによって水深を測定すると共に、リールから繰り出されたライン長と該ラインに対する前記ルアー水深での垂線との角度によって、ルアーからロッドおよびリールまでの水平距離を計測することを特徴とする、ルアー位置情報の測定方法。
【請求項２】
位置情報測定ルアーが、水温を計測するための温度センサを更に有し、温度センサにも電源が供給される、請求項１記載のルアー位置情報の測定方法。
【請求項３】
位置情報測定ルアーが、ルアー本体の動きを検知する加速度センサを更に有し、加速センサにも電源が供給される、請求項１または請求項２記載のルアー位置情報の測定方法。
【請求項４】
位置情報測定ルアーが、測定データを記憶・蓄積するメモリを更に有する、請求項１〜請求項３のうちのいずれか一項記載のルアー位置情報の測定方法。
【請求項５】
位置情報測定ルアーのルアー本体が前側部材と後側部材とに二分割され、前側部材にはその後端開口から前方へ伸びる断面円形の内空部が形成され、後側部材の前面には前記内空部に対応する円柱状凸部が形成され、該凸部の外周には雄ネジが形成され、内空部の内周には前記雄ネジと螺合する雌ネジが形成されて、前側部材に後側部材が着脱自在に結合されると共に前記内空部の後端開口が後側部材によって閉止されるようになされており、圧力センサ、発信モジュールおよび電源、或は更に温度センサ、加速度センサ、ジャイロセンサおよび／またはメモリが前記前側部材の内空部に収容されている、請求項１〜請求項４のうちのいずれか一項記載のルアー位置情報の測定方法。
【発明の詳細な説明】
【技術分野】
【０００１】
本発明は、潜行深度や距離等を測定するための位置情報測定ルアーおよびこれを用いたルアー位置測定方法に関する。
【背景技術】
【０００２】
近年、日本でもルアーを用いたスポーツフィッシングの高まりによって、多くのアングラーが種々のルアーを使い分けるようになってきている。
【０００３】
ルアーのタイプを比重で分けると、トップ、フローティング、サスペンドおよびシンキングに大別され、トップは沈まないルアーであり、フローティングは浮力があって止めると浮上するルアーであり、サスペンドは止めると浮き上がらず、沈まず水中で停止するルアーであり、シンキングは止めると沈降するルアーである。
【０００４】
またルアーは潜行する層によって、一般に、シャロー、ミドルダイバー、ディープダイバー等に大別され、シャローは一般に水面〜１．５ｍ程度の潜行であり、ミドルダイバーは通常、２前後〜３ｍぐらいの潜行であり、ディープダイバーは約３．５ないし４ｍ以上の潜行である。
【０００５】
そして、上述したルアーの潜行深度は、通常、ルアー本体（ボディ）の前端部に突設したリップの長さ等によって設定される。
【先行技術文献】
【特許文献】
【０００６】
【特許文献１】特開２０１５−１４９９５２号公報
【特許文献２】特開２０１５−１２８４０１号公報
【発明の概要】
【発明が解決しようとする課題】
【０００７】
良好な釣果を得るためには、目的とする魚が多くいる魚影の濃いレンジに対してルアーを正確に潜行させる必要があるが、一般に市販されているルアーは、前述した通り、そのリップの長さを主な基準として判断され、リップが短いルアーは上記シャローレンジを潜行すると判断され、リップが長くなるにしたがってより深いレンジを潜行すると判断される。
【０００８】
しかしながら、個々のルアーは、前記リップの長さは勿論、リップの形状やルアー本体の形状或は材質等によっても潜行深度が個々に異なってくるにもかかわらず、一般に市販されているルアーには標準的潜行深度が表示されていないことから、アングラーは、実際の釣行において、使用する個々のルアーについて正確な潜行深度を予め知ることができず、その結果、アングラー自身の潜行深度推測によって釣果に大きな差を生じてしまうという問題があった。また、このようなルアーの潜行深度と共に、アングラーからルアーまでの水平距離の正確な把握も難しいことから、目的とするポイントに対してアングラーが狙いたいレンジでルアーを通すには可成りの熟練を要するというのが実情であった。更に、近年では、水中でのルアーの動き（傾きや振動など）について、製造メーカーで細かな設計がされているにもかかわらず、その数値化が十分に行われていないために、ルアーを使用するアングラーが前記ルアーの動き・挙動を客観的に把握できないという不都合もあった。
【０００９】
本発明の目的は、簡単且つ正確にルアーの潜行深度や水平距離を把握することができる、位置情報測定ルアーおよびこれを用いたルアー位置測定方法を提供することにある。
【課題を解決するための手段】
【００１０】
請求項１記載の本発明は、ルアー本体の内部に、水圧を測定するための圧力センサと、圧力センサの電源と、圧力センサによる計測データの信号を発信する発信モジュールを有する位置情報測定ルアーを用いたルアー位置情報の測定方法であって、前記ルアーと、該ルアーが取り付けられるラインが巻かれたリールと、該リールが装着されたロッドと、ルアーの発信モジュールから送信される測定データの信号を受信する受信機と、受信機で取得した測定値信号を取り込んで解析・処理を行うコンピュータとを用いて、ルアーを水面にキャスティングしてリールをリトリーブすることにより、ルアーを水中に潜行させて、該ルアーの圧力センサによって水深を測定すると共に、リールから繰り出されたライン長と該ラインに対する前記ルアー水深での垂線との角度によって、ルアーからロッドおよびリールまでの水平距離を計測することを特徴とする、ルアー位置情報の測定方法である。
【００１１】
請求項２記載の本発明は、前記請求項１記載のルアー位置情報の測定方法について、位置情報測定ルアーが、水温を計測するための温度センサを更に有し、温度センサにも電源が供給されるものである。
【００１２】
請求項３記載の本発明は、前記請求項１または請求項２記載のルアー位置情報の測定方法について、位置情報測定ルアーが、ルアー本体の動きを検知する加速度センサを更に有し、加速センサにも電源が供給されるものである。
【００１３】
請求項４記載の本発明は、前記請求項１〜請求項３のうちのいずれか一項記載のルアー位置情報の測定方法について、位置情報測定ルアーが、測定データを記憶・蓄積するメモリを更に有するものである。
【００１４】
請求項５記載の本発明は、前記請求項１〜請求項４のうちのいずれか一項記載のルアー位置情報の測定方法について、位置情報測定ルアーのルアー本体が前側部材と後側部材とに二分割され、前側部材にはその後端開口から前方へ伸びる断面円形の内空部が形成され、後側部材の前面には前記内空部に対応する円柱状凸部が形成され、該凸部の外周には雄ネジが形成され、内空部の内周には前記雄ネジと螺合する雌ネジが形成されて、前側部材に後側部材が着脱自在に結合されると共に前記内空部の後端開口が後側部材によって閉止されるようになされており、圧力センサ、発信モジュールおよび電源、或は更に温度センサ、加速度センサ、ジャイロセンサおよび／またはメモリが前記前側部材の内空部に収容されているものである。
【発明の効果】
【００１５】
本発明の位置情報測定ルアーは、その本体の内部に、水圧を測定するための圧力センサと、圧力センサの電源と、圧力センサによる計測値の信号を発信する発信モジュールを有し、また更に、水温を計測するための温度センサや加速度センサを内蔵するものであるため、誰でも簡単且つ正確に、ルアーの潜行深度やその時の水系における温度、更には水中におけるルアーのローリングや振動等の挙動を把握することが可能となる。
【００１６】
また、前記本発明に係るルアーを用いた位置測定方法によれば、受信機やパーソナルコンピュータといった既存のものを利用して位置測定を行うことができる他、専用のアプリケーションがインストールされたスマートフォンやタブレット等の移動体端末を利用すれば、実際のフィールドで前記測定が簡単且つ正確に行えるため、その時々の状況に適した釣行が可能となり、そのため、効率的な釣果の向上を図ることができる。更に、本発明によれば、前述した効果に伴って、実際のフィールドで、水中に存在するストラクチャーや沈積木等の障害物を確実に回避してルアーを潜行させることができるため、従来のように、水中の障害物にルアーが引っ掛かってラインブレイクにより該ルアーだけが水中に残存してルアーを失うということを防止し得ることから、アングラーの経済的な損失と環境への悪影響を防ぐこともできる。
【図面の簡単な説明】
【００１７】
【図１】本発明に係るルアーの断面図である。
【図２】同ルアーの分離状態を示す側面図である。
【図３】同ルアーの分離状態を示す平面図である。
【図４】同ルアーの正面図である。
【図５】同ルアーによる位置情報測定方法の要領を示す全体図である。
【発明を実施するための形態】
【００１８】
次に、本発明の実施形態を図面にしたがって説明するが、本発明はかかる実施形態に限定されるものではない。
【００１９】
図１に示すように、本実施形態のルアー１は、全体が略ナス形状のルアー本体２と、ルアー本体２の前端部に一体に取り付けられたリップ３を有しており、また通常のルアーと同様に、図示していないフックも取り付けられている。
【００２０】
ルアー本体２は、より詳細には、側面から見て、長さ中央部分が最も大径であり、該中央部分から後方へテーパー状に尖っている一方、同中央部分から前方へ縮径し、且つ前端部は丸みを帯びた形状となっている。
【００２１】
そして、図１〜図４に示すように、ルアー本体２は、その中央後端寄り部分において前後に二分割されて、前側部材２Ａと後側部材２Ｂとで構成され、前側部材２Ａは、その後面における開口４ａから前方に伸びる断面円形の内空部４と該内空部４の前端底部から下方に連成された貫通孔１０を備え、また内空部４の前端部分は若干小径となされている。
【００２２】
後側部材２Ｂは、その前面に前記内空部４に嵌め入れられる円筒状の凸部５を有し、凸部５の外周には雄ネジ５ａが形成され、前記内空部４の内周には前記雄ネジ５ａと螺合する雌ネジ４ｂが形成されており、これら雌ネジ４ｂと雄ネジ５ａの螺合によって、前側部材２Ａと後側部材２Ｂが一体化するようになされている。また、前記凸部５の外周に装着されたＯリング１２を介して前側部材２Ａの内空部４が後側部材２Ｂによって水密に閉止される。
【００２３】
そして、本実施形態では、前記貫通孔１０に、水圧を測定するための圧力センサ７が内蔵されている。また、前記内空部４には、水温を計測するための温度センサ６と、温度センサ６によって得られた水温、並びに前記圧力センサ７による測定データの電気信号を超音波発信する発信モジュール８と、前記温度センサ６や圧力センサ７の電源となる小型電池９が内蔵されている。また、電源としては、小型電池９以外でも良く、例えば太陽光を利用したソーラー電池等の発電モジュールを使用する場合もある。
【００２４】
前記圧力センサ７は、例えば、水中での圧力変化を感圧素子にて電気信号に変換し、水圧に応じたアナログ電気信号を出力するものである。
【００２５】
前記リップ３は、全体がへら状であって、側面から見て薄厚であり、平面から見て横幅が前方へ広がり、且つ前縁が略半円形となっている。
【００２６】
次に、図５に示すように、前述したルアー１を用いた位置情報の測定方法について説明すると、ロッドＲ１に取り付けたリールＲ２に巻かれているラインＬの先端に前記ルアー１を取り付け、人（図示せず）がロッドＲ１を持ってルアー１のキャスティングを行なって、該ルアー１を水面ＷＬに着水させた後、リールＲ２をリトリーブすることにより、ルアー１を水中に潜行させ、その潜行したルアー１から発信される前記圧力センサ７および前記温度センサ６による各測定データの信号を陸上の受信機１１で連続的に受信する。
【００２７】
そして、前記受信機１１で受信した水圧および水温の測定データは受信機１１からパーソナルコンピュータ１２に取り込まれ、またリールＲ２のスプール径やラインの太さ等の基礎データも前記コンピュータ１２に予め入力されている。
【００２８】
そして、前記リールＲ２からは、そのスプールの回転数や回転速度のデータがパーソナルコンピュータ１２に自動的に取り込まれ、そして、該コンピュータ１２では、予めそのメモリ（図示せず）に入力されている前記リールＲ２のスプール径およびラインＬの太さのデータに基づいて、リールＲ１から繰り出されたラインＬの長さＮＬがリアルタイムで算出される。
【００２９】
更に、前記パーソナルコンピュータ１２においては、ルアー１の潜行時の水圧に基づく水深ＤとリールＲ２から繰り出されたラインＬの長さＮＬおよびルアー１の潜行角度αに基づいて三角関数によりリールＲ２からルアー１までの水平距離ＮＤが算出される。
【００３０】
そして、前述した計測処理によって、ルアー１が水面からどのような角度で潜行して行き、そして最大で何メートルの水深に達したかを把握することができ、またこれと水平距離との関係を把握することができる。
【００３１】
また、本実施形態に係るルアー１の本体２内に更に加速度センサ（図示せず）を追加する場合もあり、その際には、測定したデータを前記パーソナルコンピュータ１２で解析することにより、ルアー１の潜行時における左右方向への傾きや振動等といった水中でのルアー本体２の実際の挙動データを併せて取得することも可能となる。そして、該挙動データと前述したルアー１の潜行データとによって、ルアー１の特性をより詳細に把握することができる。また、前記加速度センサと共に、ジャイロセンサを使用する場合もある。この場合、該ジャイロセンサによってルアー１の三次元的な回転（ローリング）等を検知し、これと前記加速度センサによる挙動データとの組み合わせによって水中でのルアー１の状況を更に緻密に解析・把握することができる。
【００３２】
更に、上述した実施形態では、ルアー１とは別にその計測データを受信する受信機１１を設けたが、本発明はこれに限定されず、ルアー１内に小型メモリを内蔵させて、計測データを一次的にルアー１内に記録・蓄積しておき、ルアー１の回収後に、既知の短距離データ通信を利用して前記小型メモリから計測データをスマートフォンやタブレット等の移動体端末に転送・記録させ、これら移動体端末に予めダウンロードされた専用アプリケーションを用いて、前記計測データの解析を行うようにしても良い。そして、この場合、前記移動体端末を個々のアングラーが携行することで実際のフィールドにおける自然条件下での実測が可能となるため、釣果の増加につながる。
【産業上の利用可能性】
【００３３】
本発明に係る位置情報測定ルアーおよびこれを用いたルアー位置測定方法によれば、前述した通り、各ルアーの潜行深度や挙動等のデータを簡単且つ正確に、しかも安価に取得することができ、またルアー位置の把握も並行して行えるため、釣り具メーカーは勿論、個々のアングラーにとっても幅広い利用が期待できる。
【符号の説明】
【００３４】
１  ルアー
２  ルアー本体
３  リップ
４  内空部
５  凸部
６  温度センサ
７  圧力センサ
８  発信モジュール
９  小型電池
Ｒ１  ロッド
Ｒ２  リール
Ｌ  ライン
【図１】
0006680513.tif 000002
【図２】
0006680513.tif 000003
【図３】
0006680513.tif 000004
【図４】
0006680513.tif 000005
【図５】
0006680513.tif 000006